(57)【特許請求の範囲】
【請求項１】
人力で運搬し室内に搬入可能な大きさ及び重量の複数の構成部材が連結されてなる組立て式防災シェルターであって、
前記構成部材は、少なくとも、四隅の柱と、左右の柱の上部間及び前後の柱の上部間をそれぞれ連結する複数の上部梁であり、
前記構成部材がシェルターとしての剛性を確保する鋼部材とこの鋼部材の外面に貼り付けられたパネルとで構成され、かつ構成部材同士を連結する連結部において鋼材面が露出しており、
前記連結部の露出した鋼材面同士を直接接触させて構成部材同士を連結した際に、一方の構成部材の外面のパネルと他方の構成部材の外面のパネルとが互いの隣接端部付近で接することで、連結部の鋼材面が隠される構成であることを特徴とする組立て式防災シェルター。
【請求項２】
前記複数の上部梁の上に固定される天井部材を備えていることを特徴とする請求項１記載の組立て式防災シェルター。
【請求項３】
前記構成部材は、前記柱、上部梁に加えて、左右の柱の下部間及び前後の柱の下部間をそれぞれ連結する複数の下部梁であることを特徴とする請求項１又は２記載の組立て式防災シェルター。
【請求項４】
前記左右の柱の下部及び前後の柱の下部に対してそれぞれ剛接合態様で連結される台部を有するベッドを設けたことを特徴とする請求項１又は２記載の組立て式防災シェルター。
【請求項５】
前記構成部材同士の連結がボルト・ナットで行われる場合に、構成部材のパネルにおける連結部近傍の位置にボルト連結作業用孔が設けられ、ボルト・ナットで連結した後に前記ボルト連結作業用孔を塞ぐ蓋材が設けられていることを特徴とする請求項１〜４のいずれか１項に記載の組立て式防災シェルター。
【請求項６】
前記柱用の構成部材及び梁用の構成部材がいずれも、角形鋼管からなる枠体の外面にパネルを貼り付けて内部が空間となっている構成であり、かつ、梁と柱とが、互いに直接接触する梁側の角形鋼管と柱側の角形鋼管とを貫通するボルトで連結されており、かつ、前記パネルにおける連結部近傍の位置に前記ボルト連結作業用孔が設けられていることを特徴とする請求項５記載の組立て式防災シェルター。
【請求項７】
互いに連結すべき構成部材同士の連結部のすべてを連結した際に、当該シェルターの前後方向及び左右方向の内外面がすべてパネルで覆い隠されていることを特徴とする請求項１〜６のいずれか１項に記載の組立て式防災シェルター。
【請求項８】
人力で運搬し室内に搬入可能な大きさ及び重量の複数の構成部材を連結した後に天井部材を取り付けて組立て式防災シェルターを組み立てる組立て式防災シェルターの組立て方法であって、
前記構成部材は、少なくとも、四隅の柱と、左右の柱の上部間及び前後の柱の上部間をそれぞれ連結する複数の上部梁であり、それらがいずれも、シェルターとしての剛性を確保する鋼部材とこの鋼部材の外面に貼り付けられたパネルとで構成され、かつ構成部材同士を連結する連結部において鋼材面が露出しており、前記連結部の露出した鋼材面同士を直接接触させて構成部材同士を連結した際に、一方の構成部材の外面のパネルと他方の構成部材の外面のパネルとが互いの隣接端部で接することで、連結部の鋼材面が隠される構成であり、
前記天井部材は、人力で運搬し室内に搬入可能な大きさ及び重量の複数の天井パネルからなり、
前記各構成部材及び天井パネルを人力で運搬し室内に搬入し、前記パネル貼りの構成部材である前記４隅の柱と複数の上部梁を連結して防災シェルターの柱部及び上部梁部を構築し、次いで、天井部材を形成する前記複数の天井パネルを前記複数の上部梁の上に並べて固定して天井部を形成することを特徴とする組立て式防災シェルターの組立て方法。
【発明の詳細な説明】
【技術分野】
【０００１】
この発明は、大地震の発生で家屋が崩壊するような非常時においてシェルター内の人の人命を確保できるだけでなく、住宅内に設置する際に、室内への部材搬入及び組み立てが容易であり、かつ、平常時において室内に調和する、室内用として好適な組立て式防災シェルターに関する。
【背景技術】
【０００２】
大地震の発生で家屋が崩壊するような場合を想定して、内部にベッド等を収容できる広さの安全な空間を確保する組立て式防災シェルターが種々提案されている。以下に取り上げた特許文献１〜５の内容は、それぞれの文献中の符号を利用して説明する。
特許文献１の地震耐久ベッドは、「複数に分割した下枠１ａ、１ｂ、１ｃを結合して組み立てた床枠１と、支持梁２ｘを有する複数の側面フレーム２ａ、２ｂ、２ｃと、前記側面フレームの上端部（上辺梁２ｙ）に取り付けられる複数の上枠３ａ、３ｂ、３ｃと、前記上枠に装着される複数の屋根ユニット４ａ、４ｂ、４ｃと、前記床枠上に載置される複数の床板５ａ、５ｂ、５ｃとから構成され、各部材間は連結具で連結される」、というものである。
【０００３】
特許文献２は、４隅の柱１と、この柱間をつなぐ梁２と、この梁と前記柱とをつなぐ筋交い３とで部屋大のスペースを構成し、かつこれらの部材を部屋５の中に持ち込んで組立てできる組立式の部材とすると共に金属、木材、合成樹脂などにより形成して前記部屋大のスペースが建物の中で安全地帯となるようにした、というものである。
【０００４】
特許文献３は、各家庭にある押入、ベッド、チェストにシェルターの機能を加えることができる組立式地震シェルターというもので、天板１１の四隅をＬ型柱１７の一端の内側面にそれぞれ当接して固定し、底板１４の四隅をＬ型柱１７の他端の内側面にそれぞれ当接して固定し、Ｌ型柱１７の長手方向に沿って一定間隔をおいて補強部材１８を横架したという構造である。
【０００５】
特許文献４は、左右対称の一対の側面枠２Ａ、２Ｂと、これらの側面枠２Ａ，２Ｂの上端に取り付けられる天面枠３と、前記一対の側面枠２Ａ、２Ｂの下端に取り付けられる一対のベース枠４Ａ、４Ｂと、天面枠３とベース枠４Ａ、４Ｂとを連結する一対の中間柱５Ａ、５Ｂとで、家屋内の寝室等に設置される鉄骨製の防災装置１を構成し、布団やベッド等の寝具を収容できるスペースを形成する、というものである。
【０００６】
特許文献５は、ベッドの外郭を構成する外枠１を太い金属製のパイプによって連続する一体状に形成し、且つ相対向する外枠間に複数個の連結用パイプ２を差し渡して連結するとともに、外枠１の周側面の適所に、障害物の侵入を防ぐための防護用金属格子４を設けたり、さらには外枠１の上部に連結した複数個の連結用パイプ２の上面に、落下物を防御するための防護用金網８を設けた構成の耐圧構造に形成したベッド、というものである。
【先行技術文献】
【特許文献】
【０００７】
【特許文献１】特開２００５−４６４４３
【特許文献２】特開平８−２８４４６２
【特許文献３】特開２００５−１６２９３
【特許文献４】特開２０１０−１８９４４
【特許文献５】特開平８−２６６３７２
【発明の概要】
【発明が解決しようとする課題】
【０００８】
防災シェルターは、建物が倒壊しても人が生存するための内部空間を保持できるように、強固な構造とする必要がある。
上記従来の各組立て式防災シェルターにおいて、シェルターとしての剛性を確保する柱、梁、枠等の部材の材質として、特許文献１では「アルミ等の金属部材、あるいはこれに準ずる強度部材」（[００１６]）とし、特許文献２では「各部材の材質も金属製の他に木材，アルミ，合成樹脂を使用することもできる」（[００１０]）とし、特許文献３では「夫々所定の木材又は鉄材を用いて」（[００２９]）とし、特許文献４では「１は家屋内の寝室等に設置される鉄骨製の防災装置であり」（[００１０]）とし、特許文献５では「外枠（１）を、太い金属製のパイプ等によって連続する一体状に形成し、」（請求項１の記載）としている。
このように、いずれも請求項においては鋼製構造に限定していないが、実施例では、特許文献３を除き明らかに鋼製構造であるように、建物が倒壊しても人が生存するための内部空間を実際に確保できる防災シェルターを製作する場合には、鋼製構造とする。
【０００９】
上述の各特許文献の通り、建物の倒壊まで想定する組立て式防災シェルターは実質的に鋼製なので、いわゆる鉄骨構造的で無骨な外観となり、室内に設置した場合、一般的な室内の家具や壁紙などと調和しにくいものとなっている。したがって、万が一のことを考えて設置したいと思っている人でも、日常生活を過ごす室内への設置には違和感を持つことが多い。
【００１０】
なお、特許文献２に木材の使用に言及があり、また家屋の倒壊までは想定していないと思われる特許文献３では木材使用の実施例があるが、室内と調和させるため室内家具のように木材を防災シェルターに用いた場合、建物が倒壊しても内部空間を保持する剛性を確保するには、鋼材と比べて柱や梁、天井部材を極めて太く厚い構造にする必要がある。そのため、内部空間も小さくなってしまうとともに、重量がかなり嵩んでしまうという問題もある。
また、接合部分として、現場での組立てが容易なボルト接合構造を採用した場合、防災シェルターの素材に木材を用いると、接合部分が弱いため破損する虞があるという問題もある。また、破損しないように接合部を鋼板で補強すると、補強鋼板が大きく目立ち、外観を損なうことになる。
【００１１】
また、室内に設置する組立て式防災シェルターは、各構成部材を室内に搬入することが容易であること、室内での組み立てを容易に行えることが重要であるので、室内への部材搬入及び組み立てが容易であることが望まれる。
【００１２】
本発明は、上記課題を解決するためになされたもので、木材を用いた木製防災シェルターという外観を呈して、室内との調和が図られながら、実際の木製防災シェルターのように内部空間が小さくなることがなく、また重量の増加も少なく、さらに室内への部材搬入及び組み立てが容易な組立て式防災シェルターを提供することを目的とする。
【課題を解決するための手段】
【００１３】
上記課題を解決する請求項１の発明は、人力で運搬し室内に搬入可能な大きさ及び重量の複数の構成部材が連結されてなる組立て式防災シェルターであって、
前記構成部材は、少なくとも、四隅の柱と、左右の柱の上部間及び前後の柱の上部間をそれぞれ連結する複数の上部梁であり、
前記構成部材がシェルターとしての剛性を確保する鋼部材とこの鋼部材の外面に貼り付けられたパネルとで構成され、かつ構成部材同士を連結する連結部において鋼材面が露出しており、
前記連結部の露出した鋼材面同士を直接接触させて構成部材同士を連結した際に、一方の構成部材の外面のパネルと他方の構成部材の外面のパネルとが互いの隣接端部付近で接することで、連結部の鋼材面が隠される構成であることを特徴とする。
【００１４】
請求項２は、請求項１の組立て式防災シェルターにおいて、前記複数の上部梁の上に固定される天井部材を備えていることを特徴とする。
【００１５】
請求項３は、請求項１又は２の組立て式防災シェルターにおいて、前記構成部材は、前記柱、上部梁に加えて、左右の柱の下部間及び前後の柱の下部間をそれぞれ連結する複数の下部梁であることを特徴とする。
【００１６】
請求項４は、請求項１又は２の組立て式防災シェルターにおいて、前記左右の柱の下部及び前後の柱の下部に対してそれぞれ剛接合態様で連結される台部を有するベッドを設けたことを特徴とする。
【００１７】
請求項５は、請求項１〜４のいずれか１項の組立て式防災シェルターにおいて、前記構成部材同士の連結がボルト・ナットで行われる場合に、構成部材のパネルにおける連結部近傍の位置にボルト連結作業用孔が設けられ、ボルト・ナットで連結した後に前記ボルト連結作業用孔を塞ぐ蓋材が設けられていることを特徴とする。
【００１８】
請求項６は、請求項５の組立て式防災シェルターにおいて、前記柱用の構成部材及び梁用の構成部材がいずれも、角形鋼管からなる枠体の外面にパネルを貼り付けて内部が空間となっている構成であり、かつ、梁と柱とが、互いに直接接触する梁側の角形鋼管と柱側の角形鋼管とを貫通するボルトで連結されており、かつ、前記パネルにおける連結部近傍の位置に前記ボルト連結作業用孔が設けられていることを特徴とする請求項４記載の組立て式防災シェルター。
但し、上記における「梁」とは、上部梁である場合、下部梁である場合、上部梁と下部梁の両者である場合を含む。
【００１９】
請求項７は、請求項１〜６のいずれか１項の組立て式防災シェルターにおいて、互いに連結すべき構成部材同士の連結部のすべてを連結した際に、当該シェルターの前後方向及び左右方向の内外面がすべてパネルで覆い隠されていることを特徴とする。
【００２０】
請求項８の発明は、人力で運搬し室内に搬入可能な大きさ及び重量の複数の構成部材を連結した後に天井部材を取り付けて組立て式防災シェルターを組み立てる組立て式防災シェルターの組立て方法であって、
前記構成部材は、少なくとも、四隅の柱と、左右の柱の上部間及び前後の柱の上部間をそれぞれ連結する複数の上部梁であり、それらがいずれも、シェルターとしての剛性を確保する鋼部材とこの鋼部材の外面に貼り付けられたパネルとで構成され、かつ構成部材同士を連結する連結部において鋼材面が露出しており、前記連結部の露出した鋼材面同士を直接接触させて構成部材同士を連結した際に、一方の構成部材の外面のパネルと他方の構成部材の外面のパネルとが互いの隣接端部で接することで、連結部の鋼材面が隠される構成であり、
前記天井部材は、人力で運搬し室内に搬入可能な大きさ及び重量の複数の天井パネルからなり、
前記各構成部材及び天井パネルを人力で運搬し室内に搬入し、前記パネル貼りの構成部材である前記４隅の柱と複数の上部梁を連結して防災シェルターの柱部及び上部梁部を構築し、次いで、天井部材を形成する前記複数の天井パネルを前記複数の上部梁の上に並べて固定して天井部を形成することを特徴とする。
【発明の効果】
【００２１】
本発明の組立て式防災シェルターは、複数の構成部材を連結した構造であるが、構成部材のうちの鋼部材同士が直接連結された骨組み構造であるから、そして、鋼部材の剛性は高いので、例えば木材を連結して構成した構造と比較すると、必要な剛性を確保するための部材断面を細くすることができ、したがって、シェルター内部空間を広く確保することができる。また、全体重量を抑えることもできる。
そして、構成部材の外面にはパネルが貼り付けられており、パネルでシェルターの内外装が施されている外観となるので、室内との調和が図られ、生活空間になじむ防災シェルターを得ることができる。
【００２２】
部材同士をボルト・ナットで連結する場合、一般的にはボルト・ナットが露出するので、外面にパネルを貼り付けた構成部材同士の連結をボルト・ナットで行うと、ボルト・ナットが露出して、パネル貼りとした意匠的な効果が損なわれるが、本発明によれば、パネル貼りの構成部材同士を連結した際に、外面のパネルで連結部の鋼材面が隠される構成なので、意匠的な効果が損なわれることがない。
【００２３】
また、構成部材同士の連結部は、パネルで覆われずに鋼材面が露出しているので、パネルに干渉することなく、構成部材の鋼材面同士を直接接触させて接合できる。
したがって、外力が作用した際の各構成部材間の力の伝達が、介在物を挟まずに直接鋼部材間で行われ、接合部が弱部になることなく強固な接合の防災シェルターを得ることが容易である
【００２４】
前記のように鋼部材の露出部が連結される連結構造であっても、構成部材同士を連結した際に連結部の鋼材面がパネルで塞がれて見えなくなる、という構造であるから、前記の通り、室内との調和が図られる防災シェルターにすることができる。
【００２５】
また、例えば、鋼材のみからなる構成部材を連結して組み立てた後に全体に合わせてパネルを切断加工して貼り付ける場合と比べると、本発明では、既にパネルを貼り付けた構成部材を連結して組み立てるので、設置する室内でのパネルの加工に時間を要することがなく組立て作業能率が極めて高い。また、切断くずの発生もなく、切断時の騒音発生の問題も生じないので、この点でも優れている。
また、引越し等で防災シェルターを分解する際には、パネルを切断することなく、単に構成部材に分解して、引越し先に搬送し、引越し先で再度組み立てることができる。したがって、引越し時の防災シェルターの取扱いが容易である。
【００２６】
請求項５あるいは請求項６によれば、構成部材のパネルにおける連結部近傍の位置にボルト連結作業用孔を設け、かつ、ボルト・ナットで連結した後に前記ボルト連結作業用孔を塞ぐ蓋材を設けるので、ボルト・ナットによる連結構造であるにも拘わらず、ボルトやナットが露出しない態様で、構成部材同士をボルト・ナットで連結することができる。したがって、室内に調和する防災シェルターが得られる。
また、請求項６によれば、ボルト及びナットが構成部材の内部空間に収まっているので、単にボルト・ナットが露出しないだけでなく、凹凸のないパネルによる内外装が可能となる。
【図面の簡単な説明】
【００２７】
【図１】本発明の組立て式防災シェルターの主として鋼部材部分（パネルを剥がした状態のもの）を示した仮想正面図である。
【図２】図１の右側面図である
【図３】図１の平面図である
【図４】図１における柱部分（柱材）を示すもので、（イ）は正面図、（ロ）は底面図、（ハ）は平面図（但しベースプレートは不図示）、（ニ）は右側面図である
【図５】図１における長尺の上部梁部分（長尺の上部梁材）を示すもので、（イ）は正面図、（ロ）は右側面図である。
【図６】図２における短尺の上部梁部分（短尺の上部梁材）を示す正面図である。
【図７】図１における長尺の下部梁部分（長尺の下部梁材）を示すもので、（イ）は正面図、（ロ）は右側面図である。
【図８】図２における短尺の下部梁部分（短尺の下部梁材）を示す正面図である。
【図９】（イ）は図３の天井パネルの１つを横向きにし拡大して示した図、（ロ）は（イ）のＡ−Ａ拡大断面図、（ハ）は（ロ）の一部分のみを示した図、（ニ）は（ロ）のＢ矢視図である。
【図１０】本発明の組立て式防災シェルターの外観を示す斜視図である。
【図１１】図１０の組立て式防災シェルターにおける天井部を除いて示した斜視図である
【図１２】図１１における柱と梁の鋼部材部分（柱材と梁材（パネルを剥がした状態））のみを示した仮想斜視図である（但し、柱材、梁材におけるトラス構造をなす丸鋼管を簡略化した線で表している）。
【図１３】（イ）は図１１における柱の断面図、（ロ）は図１１における上部梁の断面図、（ハ）は図１１における下部梁の断面図である。
【図１４】（イ）は図１０、図１１における柱と下部梁との連結部が、鋼部材同士の直接接触によりボルト連結される状態を説明する一部切欠き正面図、（ロ）は（イ）のＣ-Ｃ断面図である。
【図１５】上記実施例の組立て式防災シェルターにおける下部梁を設けずに、木製ベッドを取り付けた実施例を示す正面図である。
【図１６】図１５における天井を外して示した平面図である。
【図１７】図１５における木製ベッドを示すもので、（イ）は正面図、（ロ）は断面図である。
【図１８】本発明のさらに他の実施例の組立て式防災シェルターを示すもので、（イ）は正面図、（ロ）は（イ）の正面部分のみを示した図である。
【図１９】本発明のさらに他の実施例の組立て式防災シェルターの正面図である。
【発明を実施するための形態】
【００２８】
以下、本発明の組立て式防災シェルター及びその組立て方法を実施するための形態について、図面を参照して説明する。
【実施例１】
【００２９】
本発明の組立て式防災シェルターは、人力で運搬し室内に搬入可能な大きさ及び重量の複数の構成部材を連結して組み立てられる。
実施例の組立て式防災シェルター１０は、全体外観を示す図１０、及び図１０における天井部材１４を外して示した図１１に示すように、四隅の柱１１と、前面側及び後面側の左右の柱１１の上部間を連結する２つの長尺の上部梁１２Ａ、及び奥行方向の前後の柱１１の上部間をそれぞれ連結する２つの短尺の上部梁１２Ｂと、前面側及び後面側の左右の柱１１の下部間を連結する２つの長尺の下部梁１３Ａ、及び奥行方向の前後の柱１１の下部間を連結する２つの短尺の下部梁１３Ｂと、前記４つの上部梁１２Ａ、１２Ｂの上に設置された天井部材１４とからなっている。そして、前記天井部材１４は、４つの天井パネル４からなる。
なお、上部梁１２Ａ、１２Ｂを指す際、場合により、単に上部梁１２、又は上部梁１２（１２Ａ、１２Ｂ）と記す。また、下部梁１３Ａ、１３Ｂを指す際も、場合により、単に下部梁１３、又は下部梁１３（１３Ａ、１３Ｂ）と記す。
前記柱１１、梁（上部梁１２及び下部梁１３）、天井パネル４は、人力で運搬し室内に搬入可能な大きさ及び重量であって前記構成部材に相当し、この構成部材１１、１２、１３、４を連結して組立て式防災シェルター１０が組み立てられる。
【００３０】
前記構成部材１１、１２、１３、４のうちの柱１１及び梁（上部梁１２及び下部梁１３）は、詳細は後述するように、シェルターとしての剛性を確保する鋼部材とこの鋼部材の外面に貼り付けられた実施例では木製のパネルとからなり、かつ構成部材同士を連結する連結部において鋼材面が露出しており、構成部材同士を、前記連結部の露出した鋼材面同士を直接接触させて連結した際に、一方の構成部材の外面の木製パネルと他方の構成部材の外面の木製パネルとが互いの隣接端部で隙間なく接することで、連結部の鋼材面が隠される構成である。
なお、前記天井パネル４は、木製パネルを貼り付けていない点で、柱１１や梁１２、１３と同じ意味で構成部材であるとは言えないが、人力で運搬し室内に搬入可能な大きさ及び重量であるという点では構成部材に相当するので、以下の説明では便宜上、柱１１や梁１２、１３と共にまとめて構成部材と言う場合がある。
【００３１】
図１は本発明の組立て式防災シェルター１０の主として鋼部材の部分（木製パネルを剥がした状態のもの）を示した仮想正面図（実際にこのような状態で存在することはない）、図２は図１の右側面図、図３は図１の平面図である。
以下の説明において、構成部材である前記柱１１及び梁（上部梁１２及び下部梁１３）における、シェルターとしての剛性を確保する鋼部材の部分（木製パネルを貼り付ける前のもの）を、それぞれに「材」を付加して柱材１及び梁材（上部梁材２及び下部梁材３）と呼ぶ。
したがって、上部梁１２Ａ、１２Ｂに対応する鋼部材の部分を上部梁材２Ａ、２Ｂと呼び、下部梁１３Ａ、１３Ｂに対応する鋼部材の部分を下部梁材３Ａ、３Ｂと呼ぶ。
図１２は、組立て式防災シェルター１０における、天井パネル４以外の鋼部材の部分、すなわち前記柱材１、上部梁材２Ａ、２Ｂ、下部梁材３Ａ、３Ｂの部分を斜視図で示したものである。
【００３２】
図４は図１における柱材（鋼部材の部分）１の詳細構造を示すもので、（イ）は正面図、（ロ）は底面図、（ハ）は平面図（但しベースプレートは不図示）、（ニ）は右側面図である。
この柱材１は、３本の角形鋼管１ａを図４（ロ）、（ハ）に示すように等辺の直角三角形をなす配置でベースプレート１ｂ上に固定し、辺をなす２つの角形鋼管１ａ間の上部及び下部を、それぞれ２本の丸鋼管１ｃで連結固定し、中間部を若干細い複数の丸鋼管１ｄでトラス構造を形成するように連結固定した構成である。なお、鋼材どうしの固定という場合、基本的に溶接固定である。１ｅは全周溶接固定のボルト接合部用の補強プレート、１ｆはボルト挿通孔である。
【００３３】
図５は図１における上部梁材２における長尺上部梁材２Ａの詳細構造を示すもので、（イ）は正面図、（ロ）は右側面図である。
この長尺上部梁材２Ａは、上下の長尺の横枠材２ａの左右両端をそれぞれ縦枠材２ｂで連結固定し、中間部を若干細い４本の丸鋼管２ｄでトラス構造を形成するように連結固定した構成である。横枠材２ａ、縦枠材２ｂはいずれも、柱材１の角形鋼管１ａと同サイズの角形鋼管である。
さらに、縦枠材２ｂの内側面に補強プレート２ｅを全周溶接固定し、ボルトを水平に貫通させるボルト挿通孔２ｃをあけ、補強プレート２ｅの内側面の孔位置に、柱材１の角形鋼管１ａとボルトで連結するためのナット７を溶接固定している。
また、上側の横枠材２ａに、その下面側から貫通して上方に突出するボルト９の頭部９ａを溶接固定している。このボルト９は、天井パネル４を横枠材２ａの上面に固定するための手段となる。
【００３４】
図６は図２における上部梁材２における短尺上部梁材２Ｂの詳細構造を示す正面図である。
この短尺上部梁材２Ｂは、上下の短尺の横枠材２ａ’の左右両端をそれぞれ縦枠材２ｂ’で連結固定し、中間部を若干細い２本の丸鋼管２ｄ’でトラス構造を形成するように連結固定した構成である。横枠材２ａ’、縦枠材２ｂ’はいずれも、柱材１の角形鋼管１ａと同サイズの角形鋼管である。
さらに、縦枠材２ｂ’の内側面に補強プレート２ｅ’を全周溶接固定し、ボルトを水平に貫通させるボルト挿通孔２ｃ’をあけ、補強プレート２ｅ’の内側面の孔位置に、柱材１の角形鋼管１ａとボルトで連結するためのナット７を溶接固定している。
【００３５】
図７は図１における前面側又は後面側の長尺下部梁材３Ａの詳細構造を示す正面図である。
この長尺下部梁材３Ａは、上下の長尺の横枠材３ａの左右両端をそれぞれ縦枠材３ｂで連結固定した構成である。横枠材３ａ、縦枠材３ｂはいずれも、柱材１の角形鋼管１ａと同サイズの角形鋼管である。
さらに、縦枠材３ｂの内側面に補強プレート３ｅを全周溶接固定し、ボルトを水平に貫通させるボルト挿通孔３ｃをあけ、補強プレート３ｅの内側面の孔位置に、柱材１の角形鋼管１ａとボルトで連結するためのナット７を溶接固定している。
【００３６】
図８は図２における短尺下部梁材３Ｂの詳細構造を示す正面図である。
この短尺下部梁材３Ｂは、上下の短尺の横枠材３ａ’の左右両端をそれぞれ縦枠材３ｂ’で連結固定した構成である。横枠材３ａ’、縦枠材３ｂ’はいずれも、柱材１の角形鋼管１ａと同サイズの角形鋼管である。
さらに、縦枠材３ｂ’の内側面に補強プレート３ｅ’を全周溶接固定し、ボルトを水平に貫通させるボルト挿通孔３ｃ’をあけ、補強プレート３ｅ’の内側面の孔位置に、柱材１の角形鋼管１ａとボルトで連結するためのナット７を溶接固定している。
【００３７】
組立て式防災シェルター１０を構成する前述の柱１１、上部梁１２Ａ、１２Ｂ、下部梁１３Ａ、１３Ｂはそれぞれ、その鋼部材部分である前述の柱材１、長尺上部梁材２Ａ、短尺上部梁材２Ｂ、長尺下部梁材３Ａ、短尺下部梁材３Ｂに木製パネル８を貼り付けて製作する。
柱１１は、例えば図１３（イ）に示すように、３本の角形鋼管１ａを持つ鋼部材である柱材１の外面に木製パネル８を貼り付けている。図示例では接着剤による貼り付けと、タッピンねじによる貼り付け固定との両者を採用している。
上部梁１２は、図１３（ロ）に示すように、鋼部材である上部梁材２の両側面と下面に木製パネル８を貼り付けている。天井パネル４が固定される上面は角形鋼管（横枠材２ａ）が露出している。
下部梁１３は、図１３（ハ）に示すように、鋼部材である下部梁材３の両側面と上下面に木製パネル８を貼り付けている。
【００３８】
図９（イ）は図３の天井パネルの１つを横向きにし拡大して示した図、（ロ）は（イ）のＡ−Ａ拡大断面図、（ハ）は（ロ）の一部分のみを示した図、（ニ）は（ロ）のＢ矢視図である。
この天井パネル４は、４本の軽量溝形鋼２１を矩形に溶接接続してなる矩形枠２２の下面側に、化粧シート２４を貼り合わせた矩形の合板２５を配し、上面側に矩形の化粧板２６を配した構成である。なお、軽量溝形鋼２１のボルト挿通孔２８のある部分における上下のフランジの外側面にボルト挿通孔付きの鋼板片２３を溶接固定し、かつ、ボルト挿通孔２８の両側に軽量溝形鋼２１の断面コ字形内に嵌め込んだリブプレート２７を溶接して、ボルト連結部を補強している。
この天井パネル４は、その両端部を前後の上部梁１２Ａに載せて、前記上部梁材２Ａに溶接固定されて上に突出しているボルト９をボルト挿通孔２８より貫通させ、ナット２９で締め付けて、上部梁１２Ａに固定される。
【００３９】
上記の組立て式防災シェルター１０を組み立てる要領を説明する。
上述の通り、組立て式防災シェルター１０を組み立てる構成部材である、４本の柱１１と４つの上部梁１２（１２Ａ、１２Ｂ）と４つの下部梁１３（１３Ａ、１３Ｂ）と、４つの天井パネル４を用意する。
これら構成部材１１、１２、１３、４は、人力で運搬し室内に搬入可能な大きさ及び重量とされているから、組立て施工時に、設置すべき住宅の室内に容易に搬入することができる。
【００４０】
柱１１と上部梁１２（１２Ａ、１２Ｂ）と下部梁１３（１３Ａ、１３Ｂ）は、前述の通り、既に鋼部材である柱材１と上部梁材２（２Ａ、２Ｂ）と下部梁材３（３Ａ、３Ｂ）のそれぞれの外面に木製パネル８を貼り付けている（但し、互いの連結面には木製パネルを貼り付けていない）。
まず、４つの下部梁１３（１３Ａ、１３Ｂ）を床上の概ね設置位置に矩形状に配置する。次いで柱１１を矩形配置の下部梁１３（１３Ａ、１３Ｂ）のコーナー位置にて立て、下部梁１３の先端部と柱１１の下部とをボルト３２で連結する。
この場合、下部梁１３及び柱１１のそれぞれ鋼部材同士の連結としては、図１、図２のようにボルト３２で連結することになるが、実際には木製パネル８を貼り付けた状態で連結するので、図１４（イ）、（ロ）に示す態様で、下部梁１３の先端部と柱１１の下部がそれぞれの鋼部材が直接接触して連結される。
すなわち、下部梁１３の先端は角形鋼管３ｂ（下部梁材３の縦枠材３ｂ）が木製パネルのない面Ｓ１にて露出しており、柱１１の下部は角形鋼管１ａ（柱材１の３本の角形鋼管１ａの一つ）が木製パネルのない面Ｓ２にて露出しており、両露出面Ｓ１、Ｓ２同士が直接接触して連結される。
その連結作業としては、柱１１の木製パネル８の下端近傍にあけた開口であるボルト連結作業用孔３３からボルト３２を手でボルト挿通孔１ｆ、３ｃに挿入し、縦枠材３ｂに溶接固定したナット７に螺合させ締着して、下部梁１３の縦枠材３ｂと柱１１の角形鋼管１ａとを接合する。これにより、下部梁１３と柱１１とが、それぞれの鋼部材部分の直接接触によりボルト連結される。
上記の説明では長尺下部梁材３Ａの符号にて説明したが、短尺下部梁材３Ｂの場合も連結構造は同じである。
【００４１】
次いで、柱１１の上部で上部梁１２（１２Ａ、１２Ｂ）と柱１１とを連結するが、上部梁１２（１２Ａ、１２Ｂ）と柱１１との連結構造も、図１４で説明した下部梁１３と柱１１との連結構造と同じであり、説明は省略する。
【００４２】
次いで、上部梁１２（１２Ａ、１２Ｂ）の上に天井部材１４を取り付ける。
天井部材１４は、前述した通り、図９で構造を説明した天井パネル４の４枚からなる。
各天井パネル４を、図９の説明においても述べたように、その両端部を前後の上部梁１２Ａに載せて、前記上部梁材２Ａの上面に溶接固定されて上に突出しているボルト９をボルト挿通孔２８より貫通させ、ナット２９で締め付けて、上部梁１２Ａに固定する。
次いで、固定した４枚の天井パネル４の全体の前後面及び左右側面に、図１０に示すようにやや厚い木製パネル３５を貼り付ける。
以上で組立て式防災シェルター１０の組立てが完了する。
なお、この組立て式防災シェルター１０は、特に床側部分に関して、図１０に示した形態そのままで利用するか、あるいは前面側の下部梁１３Ａを外した形態で利用するか、あるいは４つの下部梁１３（１３Ａ、１３Ｂ）で囲まれた矩形空間を高床とするか、その他適宜の利用方法を採用するとよい。
【実施例２】
【００４３】
図１５〜図１７に他の組立て式防災シェルター１０’を示す。この組立て式防災シェルター１０’は、上述の組立て式防災シェルター１０において、下部梁１３（１３Ａ、１３Ｂ）を設けずに、ベッド５０を設けた構造である。
この実施例のベッド５０は木製であり、ベッド幅方向両側の側板５１ａとベッド長手方向両側の側板５１ｂとを矩形に結合させた矩形枠体５１における幅方向両側の側板５１ａ間に、長手方向中間の２つの桟５２、及び両端の２つの桟５３を架け渡し、矩形枠体５１の四隅の内側に、前記両端の桟５３で挟まれる態様で頭側の脚５４及び足側の脚５５を固定し、頭側の両側の脚５４の頂部間及び中間部間に横材５６、５７を架け渡し、かつ、足側の両側の脚５５の頂部間及び中間部間に横材５８、５９を架け渡し、前記長手方向中間の桟５２及び両端の桟５３に載る複数の板材６０ａによるすのこ６０を取り付けた構成である。前記矩形枠体５１の四隅部は、平面視で三角形をなす四隅の柱１１の下部に対してそれぞれ剛接合態様で連結されている。６２はマットを示す。
前記矩形枠体５１、桟５２、５３は、ベッド５０の台部６１を形成する。すなわち、このベッド５０は、台部６１において、左右の柱１１の下部及び前後の柱１１の下部に対してそれぞれ剛接合態様で連結されているので、シェルターとしての剛性を確保する上で大きく寄与する。また、組立て式防災シェルターの内外面の木製パネルから漂う木の香りに、さらにこの木製ベッド５０から漂う木の香りが加わり、一層心地よい空間となる。
【実施例３】
【００４４】
図１８は本発明のさらに他の実施例の組立て式防災シェルター１１０を示すもので、同図（イ）は正面図、同図（ロ）は（イ）の正面部分のみを示した図である
この組立て式防災シェルター１１０における柱及び梁の鋼部材の部分については、実施例１の図１〜図８、図１２に示した鋼部材である柱材１、梁材２Ａ、２Ｂ、３Ａ、３Ｂと基本的に同様である。また、この組立て式防災シェルター１１０における天井部材１１４は、実施例１の図１０で示した天井部材１４と基本的に同様である。また、柱１１１も図１０の柱１１と基本的に同様である。
この実施例では、前面側の上部梁１１２Ａの下縁側に方丈型の開口枠１４０を設け、上部梁１１２Ａの木製パネル１０８の両側部分は、開口枠１４０の両側の傾斜した方丈部分まで延長している。後面側の下部梁１１３Ａは図１０の下部梁１３Ａと同様であるが、前面側の下部梁１１３Ａ’は高さが低くその外面の木製パネル１０８’は一枚板としている。
組立て式防災シェルター１１０の左右両側面の図示は省略するが、図１０と同様である。
組立て式防災シェルター１１０の後面側は、図１０のような開放面ではなく、壁部材１４１とその中央部に設けた障子１４２とからなる閉鎖面となっている。壁部材１４１の詳細は省略するが、人力で運搬し室内に搬入可能な大きさ及び重量の複数の部分に分割されている。
【実施例４】
【００４５】
図１９は本発明のさらに他の実施例の組立て式防災シェルター２１０の正面図である。
この組立て式防災シェルター２１０における柱及び梁の鋼部材の部分についても、実施例１の図１〜図８、図１２に示した鋼部材である柱材１、梁材２Ａ、２Ｂ、３Ａ、３Ｂと基本的に同様である。また、この組立て式防災シェルター２１０における天井部材２１４は、実施例１の図１０で示した天井部材１４と基本的に同様である。また、柱２１１も図１０の柱１１と基本的に同様である。
この実施例では、前面側の上部梁２１２Ａの下縁側にアーチ型の開口枠２４０を設けている。上部梁２１２Ａの木製パネル２０８は横張りであり、アーチ型の開口枠２４０の頂部高さ位置より下方位置の木製パネル２０８は開口枠２４０に接合されている。
前面側及び後面側の下部梁２１３Ａ’はいずれも高さが低くその外面の木製パネル２０８’は一枚板としている。
組立て式防災シェルター２１０の左右両側面の図示は省略するが、図１０と同様である。
組立て式防災シェルター２１０の後面側は、図１０と同じであり開放面である。
【実施例５】
【００４６】
上述の各実施例では、シェルターとしての剛性を確保する鋼部材（柱材１及び梁材（上部梁材２及び下部梁材３））の外面に貼り付けるパネルとして木製のパネルを用いたが、木製パネルに限らず、室内との調和が図られるような種々のパネルを用いることができる。
例えば、石膏パネル、石材パネル、セラミックパネル、ファイバー材（ＭＤＦ材など）パネル、プラスチックパネル、ミラーパネル、障子布、テント布、アルポリック（登録商標）パネル、液晶パネル、和紙パネル、クロス張り合板パネル、樹脂化粧鋼板パネル、その他種々の材質によるパネルを用いることができる。
また、突き板（木材を薄くそいだ板（単板））を接着したファイバー材（ＭＤＦ材など）パネルを用いることができる。
クロス張り合板パネルのクロスとしては、紙クロス、ビニールクロス、織物クロス、その他のクロスを用いることができる。
前記プラスチックパネルとしては、アクリルパネル、発砲スチロールパネル、ポリカーボネートパネル、スチレンパネル、ビニールパネルその他種々のプラスチックパネルを使用できる。さらに、熱可塑性樹脂を高温で溶かし積層させて形成する熱溶解積層法（FDM）により形成したプラスチックパネルを用いることもできる。
【実施例６】
【００４７】
上述の各実施例では、シェルターとしての剛性を確保するために、柱１１の下部にも下部梁１３（１３Ａ、１３Ｂ）を設けたり、内部に設置するベッド５０を剛性確保手段として利用したりしているが、下部梁１３（１３Ａ、１３Ｂ）やベッド５０によらない、その他の剛性確保手段を講じることができる。
【００４８】
また、上述の実施例では、各構成部材同士の連結、すなわち実施例では柱１１と上部梁１２との連結、柱１１と下部梁１３との連結、及び上部梁１２と天井パネル４との連結をボルト・ナットによる連結構造としたが、十分な接着強度が得られることを条件として、接着剤による接着手段を採用することも可能である。
【符号の説明】
【００４９】
１  柱材（柱から木製パネルを除いた鋼部材の部分）
１ａ  角形鋼管
１ｂ  ベースプレート
１ｃ  丸鋼管  
１ｄ  丸鋼管
１ｅ  補強プレート
１ｆ  ボルト挿通孔
２  上部梁材（上部梁から木製パネルを除いた鋼部材の部分）
２Ａ  長尺の上部梁材
２Ｂ  短尺の上部梁材
２ａ、２ａ’  横枠材（角形鋼管）
２ｂ、２ｂ’  縦枠材（角形鋼管）
２ｃ、 ２ｃ’  ボルト挿通孔
２ｄ、２ｄ’  丸鋼管
２ｅ、２ｅ’  補強プレート
３  下部梁材（下部梁から木製パネルを除いた鋼部材の部分）
３Ａ  長尺の下部梁材
３Ｂ  短尺の下部梁材
３ａ、３ａ’  横枠材（角形鋼管）
３ｂ、３ｂ’  縦枠材（角形鋼管）
３ｃ、３ｃ’  ボルト挿通孔
３ｄ、３ｄ’  丸鋼管
３ｅ、３ｅ’  補強プレート
４  天井パネル
７  ナット
８  木製パネル
９  ボルト  ９ａ  ボルト頭部
１０、１０’  組立て式防災シェルター
１１  柱（柱材（鋼部材）に木製パネルを貼り付けたもの）
１２  上部梁（上部梁材（鋼部材）に木製パネルを貼り付けたもの）
１２Ａ  長尺の上部梁
１２Ｂ  短尺の上部梁
１３  下部梁（下部梁材（鋼部材）に木製パネルを貼り付けたもの）
１３Ａ  長尺の下部梁
１３Ｂ  短尺の下部梁
１４  天井部材  ２１  軽量溝形鋼
２２  矩形枠    ２３  補強用の鋼板片  ２４  化粧シート
２５  合板  ２６  化粧板    ２７  リブプレート  
２８  ボルト挿通孔    ２９  ナット      ３２  ボルト
３３  ボルト連結作業用孔    ３５  （天井の周囲の）木製パネル
１０８、１０８’、２０８、２０８’  木製パネル
１１０、２１０  組立て式防災シェルター
１１１、２１１  柱（柱材（鋼部材）に木製パネルを貼り付けたもの）
１１２、２１２  上部梁（上部梁材（鋼部材）に木製パネルを貼り付けたもの）
１１２Ａ、２１２Ａ  長尺の上部梁
１１３、２１３  下部梁（下部梁材（鋼部材）に木製パネルを貼り付けたもの）
１１３Ａ、１１３Ａ’、２１３Ａ’  長尺の下部梁
１１４、２１４  天井部材
１４０  方丈型の開口枠
１４１  壁部材
１４２  障子
２４０  アーチ型の開口枠
【その他】
【００５０】
特許出願人「株式会社ニッケン鋼業」は先の出願の出願人「株式会社ニッケン鋼機」の一般承継会社です。追って、出願人名義変更届を提出致します。
【図１】
0006555615.tif 000002
【図２】
0006555615.tif 000003
【図３】
0006555615.tif 000004
【図４】
0006555615.tif 000005
【図５】
0006555615.tif 000006
【図６】
0006555615.tif 000007
【図７】
0006555615.tif 000008
【図８】
0006555615.tif 000009
【図９】
0006555615.tif 000010
【図１０】
0006555615.tif 000011
【図１１】
0006555615.tif 000012
【図１２】
0006555615.tif 000013
【図１３】
0006555615.tif 000014
【図１４】
0006555615.tif 000015
【図１５】
0006555615.tif 000016
【図１６】
0006555615.tif 000017
【図１７】
0006555615.tif 000018
【図１８】
0006555615.tif 000019
【図１９】
0006555615.tif 000020